(57)【特許請求の範囲】
【請求項１】
発信側の電話番号を通知可能な網側に接続される親機と、該親機と無線接続される子機とを有し、呼出音として該親機と該子機とで異なる音色が設定可能な親子電話システムにおいて、
該親機は、電話番号を該親機に対応させて記憶可能な記憶手段を備え、
着呼の際に前記網側から受信して得られた発信側の電話番号が該記憶手段において該親機に対応する場合に、該親機において該親機用の音色にて呼出を行い、該子機において呼出を行わないよう制御する制御手段、
を備えたことを特徴とする親子電話システム。
【請求項２】
発信側の電話番号を通知可能な網側に接続される親機と、該親機と無線接続される子機とを有し、呼出音として該親機と該子機とで異なる音色が設定可能な親子電話システムにおいて、
該親機は、該親機において呼出を行い、該子機において呼出を行わない対象の電話番号を記憶可能な記憶手段を備え、
着呼の際に前記網側から受信して得られた発信側の電話番号が前記対象の電話番号に該当する場合に、該親機において、前記設定された親機の音色にて呼出を行ない、該子機において、前記設定された子機の音色による呼出を行わないよう制御する制御手段、
を備えたことを特徴とする親子電話システム。
【請求項３】
発信側の電話番号を通知可能な網側に接続される親機と、該親機と無線接続される子機とを有する親子電話システムにおいて、
該親機は、電話番号を親機に対応させて記憶させるか、電話番号を子機に対応させて記憶させるかを選択可能な操作部を備え、
着呼の際に前記網側から受信して得られた発信側の電話番号が該親機に対応して記憶されている場合に、該親機において呼出を行ない、該子機において呼出を行なわないよう制御し、着呼の際に前記網側から受信して得られた発信側の電話番号が該子機に対応して記憶されている場合に、該子機において呼出を行ない、該親機において呼出を行なわないよう制御する制御手段、
を備えたことを特徴とする親子電話システム。
【発明の詳細な説明】
【０００１】
【産業上の利用分野】
本発明は発信者の電話番号を着信側に通知する機能を備えた網側に接続されるコードレス電話機等の親子電話システムに係わり、特に、発信者電話番号を用いて鳴動制御する親子電話システムに関する。
【０００２】
【従来の技術】
最近、親機と子機間で音声を無線により送受信するコードレス電話機が主流になりつつある。かかるコードレス電話機によれば、発信に際して親機あるいは子機のいずれからも相手に電話を掛けることができ、又、着信に際しては、親機、子機いずれからも発信者に応答することができる。
又、親機、子機いずれにも呼び出し音の音量を調整・切断する機能が設けられ、全機の呼び出し音を発生可能にしておけば親機、子機すべてから呼び出し音を発生でき、又、所定の親機または子機のみ呼び出し音を発生可能にしておき、他機の呼び出し音を切断しておけば該所定の親機または子機のみより呼び出し音を発生することができる。
【０００３】
【発明が解決しようとする課題】
以上のように、コードレス電話機ではあたかも複数回線の電話機が存在するような使い方ができるため、家庭あるいは事務所等では、親機はＡさん専用、第１子機はＢさん専用、第２子機はＣさん専用というような使い方をする。
【０００４】
しかし、このように親機、子機の使用者を決めておいても、コードレス電話機では着信があった場合、誰にかかってきたものか判らないため、いったん他の人が出て取り継がなくてはならない問題がある。又、所定の子機又は親機以外の呼び出し音を切断しておく場合には、他機より呼び出し音が出力されず、親機、子機合わせて複数の電話機が存在するという意味が薄れ、コードレス電話機の機能を十分に発揮できない問題がある。
以上から本発明の目的は、親機のみの呼出で誰に掛かってきた電話であるかを識別可能とし、これにより取次ぎの手間を軽減することである。
【０００５】
【課題を解決するための手段】
図１は本発明の原理説明図である。
１１はコードレス電話機の親機、２１はコードレス電話機の第１子機、３１は第２子機、４１はデジタル網、例えばＩＳＤＮ網である。
親機１１において、１１ａは制御部（ＣＰＵ）、１１ｂは子機、親機に対応させて設定された発信者電話番号を記憶するメモリ、１１ｃはタイマ、１１ｋは呼び出し音発生部であり、親機及び第１、第２子機それぞれに異なる音色が設定されている。
【０００６】
【作用】
予め親機１１のメモリ１１ｂに親機に対応させて発信者の電話番号を登録しておき、着信に際して制御部１１ａはデジタル網４１から通知される発信者の電話番号が親機に対応つけられているか識別し、該対応つけられている場合には親機に着信通知を行って親機の音色で親機のみの呼び出し音を鳴らす。このようにすれば、親機使用者は自分に掛ってきた電話であるかを識別でき、しかも、親機のみの呼び出し音を発生でき、コードレス電話機の機能を向上できる。
【０００７】
尚、子機に対応させて発信者の電話番号を登録しておき、着信に際して制御部１１ａはデジタル網４１から通知される発信者の電話番号が子機に対応つけられているか識別し、該対応つけられている場合には子機に着信通知を行って子機のみの呼び出し音を鳴らす。
【０００８】
【実施例】
全体の構成
図２は本発明に係わるコードレス電話機の構成図で、１０はＩＳＤＮ端末としてのコードレス電話機、１１はコードレス電話機の親機、２１はコードレス電話機の第１子機、３１は第２子機である。
【０００９】
親機１１において、１１ａはコードレス電話機全体を制御する制御部（ＣＰＵ）、１１ｂは予め各子機、親機に対応させて設定された発信者電話番号を記憶するメモリ、１１ｃはタイマ、１１ｄはスピーカ及びマイクロホンを備えた送受話器、１１ｅは加入者に対して各種表示を行う表示部、１１ｆは操作部であり、発呼あるいはデータ入力のためのテンキーや発信者電話番号の登録、削除用の各種ファンクションキーを備えている。
【００１０】
１１ｇはＩＳＤＮ網における網終端装置と親機間のデータ授受制御を行う回線制御部、１１ｈは音声信号（アナログ信号）とデジタルデータの相互変換を行うと共に、音声信号パスの切り替えを行う音声制御部、１１ｉは送受信制御部であり、相手からの音声や制御データを変調してアンテナ１１ｊより子機２１，３１に送信すると共に、子機からの電波を受信・復調して音声制御部１１ｈに送り、あるいは制御データを制御部１１ａに送出するもの、１１ｋは呼び出し音発生部であり、親機及び第１、第２子機それぞれに異なる音色が設定されている。１１ｍは音量切換部、１１ｎは呼び出し音用のスピーカである。
送受話器１１ｄは音声制御部１１ｈを介して回線制御部１１ｇに接続され、又、送受信制御部１１ｉも音声制御部１１ｈを介して回線制御部１１ｇに接続されている。
【００１１】
メモリの記憶内容
図３はメモリ１１ｂの記憶内容説明図であり、メモリ番号▲１▼〜▲９▼が設けられ、ＰＴＭは親機用の発信者電話番号記憶領域、ＣＴＭ１は第１子機用の発信者電話番号記憶領域、ＣＴＭ２は第２子機用の発信者電話番号記憶領域である。親機用記憶領域ＰＴＭにはメモリ番号▲１▼〜▲３▼が割り当てられ、それぞれに親機に着信すべき相手先電話番号（発信者電話番号）と後述するディレイド・リンギングフラグＦｒが記憶されるようになっている。
【００１２】
第１子機用記憶領域ＣＴＭ１にはメモリ番号▲４▼〜▲６▼が割り当てられ、それぞれに第１子機に着信すべき相手先電話番号（発信者電話番号）とディレイド・リンギングフラグＦｒが記憶されるようになっている。このように第１子機用記憶領域ＣＴＭ１に発信者電話番号を記憶しておくことにより、着信時にデジタル網から通知される発信者番号が該第１子機用記憶領域に記憶されている電話番号と一致する場合には、第１子機に着信し、該第１子機のみのが呼び出し音を鳴動する。そして、ディレイド・リンギングフラグＦｒが”１”の場合には、第１子機呼び出し時に所定時間無応答であると、親機は該第１子機用の音色で呼び出し音を発生する。尚、ディレイド・リンギングフラグが”０”の場合には、相手が切断または応答するまで第１子機は呼び出し音の鳴動を継続する。
【００１３】
第２子機用記憶領域ＣＴＭ２にはメモリ番号▲７▼〜▲９▼が割り当てられ、それぞれに第２子機に着信すべき相手先電話番号（発信者電話番号）とディレイド・リンギングフラグＦｒが記憶されるようになっている。このように第２子機用記憶領域ＣＴＭ２に発信者電話番号を記憶しておくことにより、着信時にデジタル網から通知される発信者番号が該第２子機用記憶領域に記憶されている電話番号と一致する場合には、第２子機に着信し、該第２子機のみのが呼び出し音を鳴動する。そして、ディレイド・リンギングフラグＦｒが”１”の場合には、第２子機呼び出し時に所定時間無応答であると、親機は該第２子機用の音色で呼び出し音を発生する。尚、ディレイド・リンギングフラグが”０”の場合には、相手が切断または応答するまで第２子機は呼び出し音の鳴動を継続する。
【００１４】
子機の構成
図４は子機の構成図である。２１ａは子機全体の制御を行うマイコン構成の制御部、２１ｂはテンキーや各種ファンクションキーを備えた操作部、２１ｃは表示部、２１ｄは呼び出し音発生部、２１ｅは呼び出し音の音量調整部、２１ｆは呼び出し用スピーカ、２１ｇはアンテナ、２１ｈはデュープレックス、２１ｉは送信回路、受信回路を備えたＲＦユニット（無線制御部）、２１ｊは秘話回路、２１ｋはエンファシス回路、２１ｍはアンプ、２１ｎは受話部（スピーカ）、２１ｐは送話部（マイク）、２１ｑはデジタルデータをＭＳＫ変調して送出すると共に、親機からのデジタルデータを復調する変復調部である。
【００１５】
ＩＳＤＮにおける交換呼の制御手順
ＩＳＤＮにおいては、図５に示すように、（１）  甲が相手先乙の電話番号を入力して発呼すると、発信側電話機２ａよりＳＥＴ  ＵＰ（呼設定の要求メッセ−ジ）がＩＳＤＮ網４１を介して着信側電話機２ｂに送られる。（２）これにより、着信側電話機２ｂは呼設定の処理を行い、ＩＳＤＮ網はＣＡＬＬ  ＰＲＯＣ（呼設定のための処理中通知）を発信側電話機に送る。（３）  呼設定のための処理が終了すれば、着信側電話機２ｂは呼出し音を鳴らすと共に、ＩＳＤＮ網を介して発信側電話機に呼出し中のメッセ−ジＡＬＴＥＲを送る。しかる後、（４）  着信者が送受話器を取って応答すれば（オフフック）、着信側電話機はＣＯＮＮ（応答通知）をＩＳＤＮ網を介して発信側電話機２ａに通知する。（５）発信側電話機２ａはＩＳＤＮ網を介してＣＯＮＮ  ＡＣＫ（確認通知）を着信側電話機へ送り、発信側電話機と着信側電話機間で通話路を形成する。
かかるＩＳＤＮ網の呼び出し手順におけるＳＥＴ  ＵＰメッセージには発信者の電話番号が含まれ着信側電話機の表示器に表示されるようになっている。
【００１６】
全体の制御
（ａ）  発信者電話番号の登録手順
予め、図６に示す手順に従って、各子機、親機に対応させて発信者電話番号をメモリ１１ｂに登録する。すなわち、
まず操作部１１ｆに設けた登録キーを押し下げ（ステップ１０１）、ついで、メモリ番号を入力する（ステップ１０２）。この場合、親機に対応させて発信者の電話番号を登録する場合にはメモリ番号▲１▼〜▲３▼を入力し、第１子機に対応させて発信者の電話番号を登録する場合にはメモリ番号▲４▼〜▲６▼を入力し、第２子機に対応させて発信者の電話番号を登録する場合にはメモリ番号▲７▼〜▲９▼を入力する。
【００１７】
ついで、発信者の電話番号とキー操作によりディレイド・リンギングをするか否かの別を入力する（ステップ１０３ａ〜１０３ｃ）。これにより、制御部１１ａは、入力された発信者電話番号及びディレイド・リンギングフラグのオン・オフを表示部１１ｅに表示し（ステップ１０４）、ユーザは該表示を見て番号を確認し（ステップ１０５）、間違っていれば削除キーを押し下げ（ステップ１０６）、再度、発信者電話番号を入力する。正しい発信者電話番号及びディレイド・リンギングフラグのオン・オフが表示されていれば、登録キーを押し下げる（ステップ１０７）。この登録キーの押し下げにより、制御部１１ａは発信者電話番号とディレイド・リンギングフラグのオン・オフをメモリ１１ｂの指定メモリ番号位置に格納する（ステップ１０８）。
以後、同様に各子機、親機毎に発信者電話番号、ディレイド・リンギングフラグのオン・オフをメモリ１１ｂに登録する。
【００１８】
（ｂ）  呼び出し制御
図７及び図８は本発明にか係わるコードレス電話機の呼び出し制御の流れ図である。
ＩＳＤＮ網を介してコードレス電話機に着呼があると、発信者電話番号を含むＳＥＴ  ＵＰメッセージが送られてくる。しかし、アナログ網を介して着呼した場合にはコードレス電話機には発信者電話番号は送られてこない。従って、着信があると（ステップ２０１）、制御部１１ａは発信者電話番号を受信したかチェックし（ステップ２０２）、発信者電話番号を受信してなければ親機１１、第１、第２子機２１，３１の呼び出し音発生部１１ｋ，２１ｄを起動して呼び出し音を発生させる（ステップ２０３）。以後、親機、子機のいずれかより応答するまで（オフフック）、あるいは発信者が通話路を切断（オンフック）するまで呼び出し音の鳴動を継続し（ステップ２０４、２０５）、いずれかが満足された時、鳴動を停止する（ステップ２０６）。
【００１９】
一方、ステップ２０２において発信者電話番号を受信していれば、該発信者電話番号が第１子機のメモリ番号▲４▼〜▲６▼に記憶されている発信者電話番号と一致するか、換言すれば第１子機２１に着信すべきものであるかチェックする（ステップ２０７）。
【００２０】
メモリ番号▲４▼〜▲６▼に記憶されている発信者電話番号と一致せず、従って、着信が第１子機宛でなければ、次に、発信者電話番号が第２子機のメモリ番号▲７▼〜▲９▼に記憶されている発信者電話番号と一致するか、換言すれば第２子機２２に着信すべきものであるかチェックする（ステップ２０８）。
【００２１】
メモリ番号▲７▼〜▲９▼に記憶されている発信者電話番号と一致せず、従って、着信が第２子機宛でなければ、次に、発信者電話番号が親機１１のメモリ番号▲１▼〜▲３▼に記憶されている発信者電話番号と一致するか、換言すれ親機１１に着信すべきものであるかチェックする（ステップ２０９）。
【００２２】
メモリ番号▲１▼〜▲３▼に記憶されている発信者電話番号とも一致しなければ、発信者電話番号はメモリ１１ｂに登録されておらず、誰宛か不明である。このため、ステップ２０３において親機、第１、第２子機のすべての呼び出し音発生部を起動して呼び出し音を発生させ、以後、親機、子機のいずれかより応答があるまで（オフフック）、又は発信者が通話路を切断（オンフック）するまで呼び出し音の鳴動を継続し、いずれかが満足された時、鳴動を停止する（ステップ２０４〜２０６）。しかし、ステップ２０９において、受信した発信者電話番号がメモリ番号▲１▼〜▲３▼に記憶されている発信者電話番号と一致すれば、親機使用者宛とみなし親機１１の呼び出し音発生部１１ｋのみを起動し、親機の音色で呼び出し音を発生させ（ステップ２１０）、以後ステップ２０４以降の処理を繰り返す。
【００２３】
ステップ２０７において、受信した発信者電話番号がメモリ番号▲４▼〜▲６▼に記憶されている発信者電話番号と一致すれば、第１子機使用者宛とみなし、第１子機２１の呼び出し音発生部２１ｄのみを起動し、呼び出し音を発生させる（ステップ２１１）。又、ステップ２０８において、受信した発信者電話番号がメモリ番号▲７▼〜▲９▼に記憶されている発信者電話番号と一致すれば、第２子機２２の呼び出し音発生部のみを起動し、呼び出し音を発生させる（ステップ２１２）。
以上により、予めメモリに登録してある電話番号を有する電話機からの着信に際しては、該電話番号に応じた子機又は親機のみより呼び出し音を発生することができ、コードレス電話機の使い勝手を向上できる。
【００２４】
ステップ２１１又はステップ２１２において、第１又は第２子機の呼び出し音を鳴動した後、制御部１１ａは発信者電話番号と関連して記憶されているディレイド・リンギングフラグＦｒの”１”，”０”（オン・オフ）を判別する（ステップ２１３）。ディレイド・リンギングフラグＦｒが”０”の場合には、親機、子機のいずれかより応答があるまで、又は発信者が通話路を切断するまで呼び出し音の鳴動を継続し、いずれかが満足された時、鳴動を停止する（ステップ２０４〜２０６）。
【００２５】
一方、ステップ２１３において、ディレイド・リンギングフラグＦｒが”１”の場合には、制御部１１ａはタイマ１１ｃを起動し、呼び出し音発生開始後の経過時間を計時する（ステップ２１４）。ついで、親機、子機のいずれかより応答があったか、又は発信者が通話路を切断したか監視し（ステップ２１５、２１６）、いずれも満足しない場合には経過時間が設定時間に達したかチェックし（ステップ２１７）、達してなければステップ２１５以降の監視を継続する。
【００２６】
設定時間に到達する前に、親機、子機のいずれかより応答があった場合、あるいは発信者が通話路を切断した場合には、タイマの計時を停止し（ステップ２１８）、しかる後、子機の呼び出し音の鳴動を停止する（ステップ２０６）。
【００２７】
しかし、親機、子機のいずれかよりも応答がなく、しかも発信者が通話路を切断することなく、経過時間が設定時間に達すれば、制御部１１ａは子機の呼び出し音の鳴動を停止し、代わって、親機１１の呼び出し音発生部１１ｋを起動して着信子機に応じた音色で呼び出し音を発生する（ステップ２１９）。
これにより、子機着信時に無応答であっても、親機からの呼び出し音の音色で誰に掛ってきた電話であるかを識別でき、子機の使用者が近くにいる場合には直ちに自分に掛ってきた電話であることを識別でき、取継ぎがなくても相手に応答することができるようになる。
【００２８】
以後、親機、子機のいずれかより応答するまで、又は発信者が通話路を切断するまで親機１１は呼び出し音の鳴動を継続し、いずれかが満足された時、鳴動を停止する（ステップ２０４〜２０６）。
以上、本発明を実施例により説明したが、本発明は請求の範囲に記載した本発明の主旨に従い種々の変形が可能であり、本発明はこれらを排除するものではない。
【００２９】
【発明の効果】
以上、本発明によれば、親機のみの呼出により、誰に掛かってきた電話であるかを識別でき、親機の使用者は取次ぎなくして相手に応答することができる。
【図面の簡単な説明】
【図１】本発明の原理説明図である。
【図２】本発明に係わるコードレス電話機の構成図である。
【図３】メモリの記憶内容説明図である。
【図４】子機の構成図である。
【図５】ＩＳＤＮの回線交換呼の制御手順説明図である。
【図６】発信者電話番号の登録手順の流れ図である。
【図７】呼び出し制御の第１の流れ図である。
【図８】呼び出し制御の第２の流れ図である。
【符号の説明】
１１・・コードレス電話機の親機
１１ａ・・制御部（ＣＰＵ）
１１ｂ・・メモリ
１１ｃ・・タイマ
１１ｋ・・呼び出し音発生部
２１・・コードレス電話機の第１子機
３１・・第２子機
４１・・デジタル網であるＩＳＤＮ網
【図１】
0003631455.tif 000002
【図２】
0003631455.tif 000003
【図３】
0003631455.tif 000004
【図４】
0003631455.tif 000005
【図５】
0003631455.tif 000006
【図６】
0003631455.tif 000007
【図７】
0003631455.tif 000008
【図８】
0003631455.tif 000009